(57)【要約】【課題】  電源投入時に液晶に不必要な電圧が印加されることを防いで、表示不具合を抑制する。【解決手段】  通常の電源電圧ＶＤＤを昇電圧してＴＦＴをＯＮ状態にする出力電圧ＧＶＤＤを生成するチャージポンプ回路５を有するアクティブマトリクス型液晶表示装置１０Ａにおいて、出力電圧ＧＶＤＤの立ち上がり期間ｃに、ゲートドライバ４からの出力頻度を通常表示期間ｂに比べて多くすることによって、液晶容量Ｃｌｃに印加される不要な電圧をＴＦＴを介してデータライン１１に抜いて、電源投入時に液晶容量Ｃｌｃに不要な電圧が印加されないようにする。【選択図】  図１
2005227629.tif 000002
【特許請求の範囲】
【請求項１】
複数の走査配線と複数の信号配線との各交叉部毎に画素部が配設され、該交叉部近傍の走査配線がスイッチング素子の制御端子に接続され、該交叉部近傍の信号配線が該スイッチング素子を介して該画素部に接続された表示部と、該表示部に、電源電圧を所定の電圧に昇電圧して表示駆動用電圧として出力するチャージポンプ回路とを有するアクティブマトリクス型表示装置において、
該チャージポンプ回路が昇電圧を開始してから所定の電圧に達するまでの昇電圧期間に、該表示部の通常表示期間に比べて、高い頻度または／および長い期間、該走査配線に走査信号を出力可能とする走査信号出力手段を備えたアクティブマトリクス型表示装置。
【請求項２】
前記走査信号出力手段は、前記走査信号により前記走査配線を選択的に駆動する走査ドライバと、該走査ドライバを駆動制御する制御信号を該走査ドライバに出力する制御信号出力手段とを有する請求項１に記載のアクティブマトリクス型表示装置。
【請求項３】
前記画素部は、前記スイッチング素子に対して画素容量部および補助容量部が並列接続されており、
前記昇電圧期間および前記表示部の通常表示期間、該補助容量部のスイッチング素子側とは反対側の電極に、前記チャージポンプ回路で昇電圧された出力電圧が印加されている請求項１に記載のアクティブマトリクス型表示装置。
【請求項４】
前記昇電圧期間前の前記表示部の初期化期間には、前記補助容量部のスイッチング素子側とは反対側の電極に、前記画素容量部のスイッチング素子側とは反対側の電極に印加される対向電圧と同じレベルの電圧が印加されている請求項３に記載のアクティブマトリクス型表示装置。
【請求項５】
前記チャージポンプ回路で昇電圧された出力電圧は、前記走査ドライバを介して前記スイッチング素子の制御端子に供給可能とされている請求項２に記載のアクティブマトリクス型表示装置。
【請求項６】
前記制御信号は、前記昇電圧期間の全部または一部において、前記表示部の通常表示期間とは異なる信号波形である請求項２に記載のアクティブマトリクス型表示装置。
【請求項７】
前記走査ドライバは、前記制御信号出力手段から前記制御信号として入力されるスタートパルスによって動作開始タイミングが規定され、該制御信号出力手段から該制御信号として更に入力されるクロック信号の周期で前記走査配線を選択駆動する走査信号を出力可能とするシフトレジスタ手段を有する請求項２または６に記載のアクティブマトリクス型表示装置。
【請求項８】
前記スタートパルスは、前記昇電圧期間において、１垂直期間に複数回、前記走査ドライバの動作開始に有効なレベルとされている請求項７に記載のアクティブマトリクス型表示装置。
【請求項９】
前記複数回のスタートパルスは、前記昇電圧期間の前後の１垂直期間毎において、均一または不均一に前記走査ドライバの動作開始に有効なレベルとされている請求項８に記載のアクティブマトリクス型表示装置。
【請求項１０】
前記スタートパルスは、前記昇電圧期間の全部、該昇電圧期間の少なくとも任意の１垂直期間の全部または一部において、前記走査ドライバの動作開始に有効なレベルに保持されている請求項７に記載のアクティブマトリクス型表示装置。
【請求項１１】
前記スタートパルスは、前記昇電圧期間の最前の１垂直期間にのみ複数回、前記走査ドライバの動作開始に有効なレベルとされ、また、該昇電圧期間の最前以外の１垂直期間では、前記通常表示期間と同等の頻度および期間で、該走査ドライバの動作開始に有効なレベルとされている請求項７に記載のアクティブマトリクス型表示装置。
【請求項１２】
前記走査ドライバは、前記制御信号出力手段から入力される制御信号に基づいて、任意の走査配線毎に走査信号を順次出力制御するかまたは、全走査配線に走査信号を同時出力制御する請求項２または７に記載のアクティブマトリクス型表示装置。
【請求項１３】
前記走査ドライバは、前記制御信号出力手段から入力されるスタートパルスによって動作開始タイミングが規定され、該制御信号出力手段から更に入力されるクロック信号の周期で前記走査配線が選択駆動される走査信号を出力するシフトレジスタ手段を有し、
該シフトレジスタ手段を構成する複数のフリップフロップのうちの少なくとも一つはプリセット端子を有し、該制御信号出力手段から前記制御信号として該プリセット端子に入力されるプリセット信号によって、非同期に、該プリセット端子が設けられたフリップフロップの出力端子から走査配線が選択駆動される走査信号を出力制御する請求項２または１２に記載のアクティブマトリクス型表示装置。
【請求項１４】
前記走査ドライバは、前記制御信号出力手段から入力されるスタートパルスによって動作開始タイミングが規定され、該制御信号出力手段から入力されるクロック信号の周期で前記走査配線が選択駆動される走査信号を出力するシフトレジスタ手段を有し、
該シフトレジスタ手段を構成する複数のフリップフロップのうちの少なくとも一つは前段にセレクタ手段を有し、該制御信号出力手段から前記制御信号として該セレクタに入力されるセレクト信号によって、非同期に、該セレクタが前段に設けられたフリップフロップの出力端子から走査配線が選択駆動される走査信号を出力制御する請求項２または１２に記載のアクティブマトリクス型表示装置。
【請求項１５】
前記信号配線を選択的に順次駆動する信号ドライバを更に有する請求項１または２に記載のアクティブマトリクス型表示装置。
【請求項１６】
前記チャージポンプ回路は、外部制御信号に基づいて昇電圧動作を開始する請求項１または１５に記載のアクティブマトリクス型表示装置。
【請求項１７】
前記外部制御信号として、前記信号ドライバへの初期化信号またはクロック信号が用いられる請求項１５または１６に記載のアクティブマトリクス型表示装置。
【請求項１８】
少なくとも前記表示部、走査ドライバ、信号ドライバおよびチャージポンプ回路は、低温プロセスで作製されたポリシリコンを用いて同一基板上に形成されている請求項１５に記載のアクティブマトリクス型表示装置。
【請求項１９】
前記表示部は、反射型表示モードを有する請求項１または１８に記載のアクティブマトリクス型表示装置。
【請求項２０】
複数の走査配線と複数の信号配線との各交叉部毎に画素部が配設され、該交叉部近傍の走査配線がスイッチング素子の制御端子に接続され、該交叉部近傍の信号配線が該スイッチング素子を介して該画素部に接続された表示部と、該表示部に、電源電圧を所定の電圧に昇電圧して表示駆動用電圧として出力するチャージポンプ回路とを有するアクティブマトリクス型表示装置を駆動するアクティブマトリクス型表示装置の駆動方法において、
該チャージポンプ回路が昇電圧を開始してから所定の電圧に達するまでの期間に、該表示部の通常表示期間に比べて、高い頻度または／および長い期間、該走査配線に走査信号を出力制御するアクティブマトリクス型表示装置の駆動方法。
【請求項２１】
請求項１〜１９のいずれかに記載のアクティブマトリクス型表示装置を表示画面部に用いて画面表示可能とする電子情報機器。
【発明の詳細な説明】
【技術分野】
【０００１】
本発明は、各種の表示画面部に用いられるアクティブマトリクス型液晶表示装置などのアクティブマトリクス型表示装置およびその駆動方法、これらを表示画面部に用いた例えば携帯電話装置、液晶テレビジョンおよびパーソナルコンピュータなどの電子情報機器に関する。
【背景技術】
【０００２】
従来、この種の液晶表示装置として、ＴＦＴ（Ｔｈｉｎ  Ｆｉｌｍ  Ｔｒａｎｓｉｓｔｅｒ；薄膜トランジスタ）を用いたアクティブマトリクス方式の液晶表示装置（アクティブマトリクス型液晶表示装置）が知られている。
【０００３】
図１４は、従来のアクティブマトリクス型液晶表示装置の要部構成例を示すブロック図である。
【０００４】
図１４に示すように、従来のアクティブマトリクス型液晶表示装置１０は、画像表示画面を構成する液晶パネル１と、液晶パネル１に各種の制御信号を出力する外部信号回路６とをを有している。
【０００５】
液晶パネル１の中央部には、マトリクス状に配置された各画素部毎にスイッチング素子（ＴＦＴ）および画素電極ＶＤが設けられたアクティブマトリクス基板（ＴＦＴ基板）と、これに対向して配設され、これらの間に表示媒体としての液晶材料を挟持し、対向電極ＶＣＯＭを備えた対向基板（図示せず）とを有するアクティブマトリクス型液晶表示部２が設けられている。この液晶表示部２の周辺には、データドライバ３と、ゲートドライバ４と、チャージポンプ回路５とが設けられている。
【０００６】
液晶表示部２には、複数のデータライン１１（データ信号線）と複数のゲートライン１２（走査信号線）とが、互いに交叉（または直交）するように配設されており、この各交叉部毎に、画素部を構成する画素容量Ｃｘｙ（Ｃ１１、Ｃ１２、ｍ・・・、Ｃｘ１、・・・、Ｃ１ｙ、・・・、Ｃｘｙ、以下、液晶容量Ｃという）がマトリクス状に設けられている。
【０００７】
データライン１１は、液晶パネル１中の各ＴＦＴを介して画素電極ＶＤから液晶容量Ｃに表示電圧を与えるための信号ラインである。
【０００８】
ゲートライン１２は、液晶パネル１中で画素電極ＶＤに接続されたＴＦＴをＯＮ／ＯＦＦ（オン・オフ制御）するための走査信号ラインである。
【０００９】
各液晶容量Ｃは、画素電極ＶＤと対向電極ＶＣＯＭ間に液晶材料を挟持して構成されており、縦横にマトリクス状に複数配置されている。この液晶容量Ｃの画素電極ＶＤは、液晶駆動用ＴＦＴｘｙ（以下、ＴＦＴという）を介して、データライン１１およびゲートライン１２に接続されている。即ち、ＴＦＴの制御領域（ゲート端子）は、交叉部近傍のゲートライン１２に接続され、その一方の駆動領域（ソース端子）は、交叉部近傍のデータライン１１に接続され、その他方の駆動領域（ドレイン端子）は画素電極ＶＤに接続されている。
【００１０】
補助容量Ｃｓｘｙ（以下、補助容量Ｃｓという）は、その一方電極がＴＦＴ側の画素電極ＶＤのと接続され、ＴＦＴと反対側の他方電極には電圧ＧＶＤＤが印加されている。
【００１１】
データドライバ３は、表示信号を選択的に出力することにより各データライン１１を順次駆動する。
【００１２】
ゲートドライバ４は、走査信号を選択的に出力することにより各ゲートライン１２を順次駆動する。
【００１３】
チャージポンプ回路５では、入力される電源電圧ＶＤＤが、外部制御信号（データドライバ３のクロック信号）ＳＣＫによって昇圧され、その出力電圧ＧＶＤＤが生成される。この出力電圧ＧＶＤＤは、補助容量Ｃｓ以外に、ゲートドライバ４にも入力されており、出力電圧ＧＶＤＤがＴＦＴをＯＮするためのスイッチング電圧（走査信号；制御電圧）としても使用されている。
【００１４】
外部信号回路６は、クロック信号ＳＣＫ、初期化信号ＩＮＩ、スタートパルスＧＳＰおよびクロック信号ＧＣＫなどの各種の制御信号を出力する。
【００１５】
この液晶パネル１は、低温プロセスにより作製されたポリシリコンを用いて、図１４に示すような回路構成をそれぞれ１枚のガラス基板上に構成したアクティブマトリクス基板（ＴＦＴ基板）および対向基板とすることが可能である。この場合に、外部信号回路６は液晶パネル１と同一基板上に設けることもできる。
【００１６】
なお、補助容量Ｃｓの他方電極を、電圧ＧＶＤＤなどの高い電圧供給端に接続する従来技術として、例えば特許文献１では、補助容量Ｃｓを最大容量値付近で用いるために、一番電圧が高い電圧ＧＶＤＤを補助容量Ｃｓの他方電極に入力している。
【００１７】
また、上記構成のように、液晶表示部２と同一ガラス基板（ＴＦＴ基板）上にチャージポンプ回路５を形成する従来技術として、例えば特許文献２には、ガラス基板上の薄膜トランジスタと、外付け容量素子とによってＤＣ／ＤＣコンバータを構成することが記載されている。
【００１８】
次に、このように構成された従来のアクティブマトリクス型液晶表示装置１０の動作について説明する。
【００１９】
図１５は、図１４の液晶パネル１に外部信号回路６から入力される各外部制御信号電圧、電源電圧および図１４のチャージポンプ回路５の出力電圧の各信号波形をそれぞれ示す図である。図１５には、入力電源電圧ＶＤＤ、初期化信号ＩＮＩ、外部制御信号ＳＣＫ、チャージポンプ回路５からの出力電圧ＧＶＤＤ、ゲートドライバ４に入力される外部制御信号であるスタートパルスＧＳＰおよびクロック信号ＧＣＫについて、電源投入時に入力電源電圧ＶＤＤがＧＮＤレベルより所定の電源電圧まで上昇して、実際に液晶表示が開始されるまでの期間の電源投入部分を示している。
【００２０】
図１５に示すように、入力電源電圧ＶＤＤがＧＮＤレベルから所定の電源電圧レベルまで上昇する際に、まず、ゲートドライバ４への初期化信号ＩＮＩが立ち上げられる。この初期化信号ＩＮＩは、ゲートドライバ４の初期化などに利用されている。この初期化信号ＩＮＩが“Ｈ”レベルである期間を初期化期間ａという。この初期化期間ａでは、データドライバ３およびゲートドライバ４は動作していないため、液晶表示部２は動作しておらず、液晶表示は行われない。この初期化期間ａは、ゲートドライバ４の初期化などに必要な時間であればよい。
【００２１】
次に、初期化信号ＩＮＩが立ち下げられて初期化期間ａが終了した後、チャージポンプ回路５に対して、外部制御信号（データドライバ３のクロック信号）ＳＣＫが入力されることにより、チャージポンプ回路５の駆動（昇電圧動作）が開始され、チャージポンプ回路５からの出力電圧ＧＶＤＤが所定時間後に安定した所定の電圧レベルに達する。
【００２２】
また、各種の液晶駆動用信号が液晶パネル１内のデータドライバ３およびゲートドライバ４などに入力され、液晶表示部２に所望の表示が開始される。この期間を表示期間ｂという。図１５では、ゲートドライバ４に対する制御信号（液晶駆動用信号）であるスタートパルスＧＳＰおよびクロック信号ＧＣＫが示されている。
【００２３】
このスタートパルスＧＳＰは、１垂直期間（ＶＳＹＮＣ）に１パルス（Ｈｉｇｈレベル）が出力されており、これによってゲートドライバ５の動作開始タイミングが規定される。
【００２４】
ゲートドライバ４は、図１６にその回路例を示すように、一般的なシフトレジスタで構成されている。
【００２５】
図１６に示すように、ゲートドライバ４は、スタートパルスＧＳＰとクロック信号ＧＣＫとによって制御される複数のＤフリップフロップ４１によってシフトレジスタが構成されている。初段のＤフリップフロップ４１のデータ入力端子ＤにはスタートパルスＧＳＰが供給され、それ以外のＤフリップフロップ４１のデータ入力端子Ｄには前段のフリップフロップ４１の出力端子Ｑが接続されている。また、各Ｄフリップフロップ４１のクロック入力端子ＣＫにはクロック信号ＧＣＫが供給されている。
【００２６】
各Ｄフリップフロップ４１では、クロック信号ＧＣＫの入力タイミングで出力パルスＱ（Ｑ１、Ｑ２、・・・Ｑｎ）が次段へシフトされることから、この出力パルスＱを用いれば、クロック信号ＧＣＫの周期でＴＦＴをＯＮさせる走査信号をゲートライン１２に対して順次出力させ、線順次に駆動させることができる。
【００２７】
なお、図１６に示すゲートドライバ４の回路構成は一例であって、これに限らず、ゲートライン１２を順次選択駆動することができるようなシフトレジスタが構成されていればよい。
【００２８】
さらに、表示期間ｂでのデータドライバ３の駆動方法や、チャージポンプ回路５の詳細動作などは、本発明とは直接関係がないため、ここではその説明を省略する。
【００２９】
なお、上記初期化期間ａと外部制御信号ＳＣＫの開始タイミングについては、外部制御信号ＳＣＫの開始タイミングからチャージポンプ回路５の出力電圧ＧＶＤＤが安定化するまでが初期化期間ａであればよく、チャージポンプ回路５の特性によって、任意に設定することが可能である。また、初期化期間ａの開始後、すぐに外部制御信号ＳＣＫを出力開始させることも可能であるが、本発明とは特に関係がなく、説明を簡略化するために、ここではその説明を省略している。
【特許文献１】特開平３−１４９５２０号公報
【特許文献２】特開２００１−１８３７０２号公報
【発明の開示】
【発明が解決しようとする課題】
【００３０】
上記従来の液晶表示装置１０において、液晶表示部２が透過型である場合には、液晶は自発光素子ではないため、バックライト（図示せず）が液晶パネル１の背面に搭載され、その光を液晶層にて遮光するか、遮光しないか（透過させるか）によって、画像が表示されるようになっている。この場合には、バックライトが点灯されていないと、液晶表示部２は黒表示状態のままである。このため、液晶パネル１が透過型液晶パネルの場合には、電源電圧ＶＤＤの投入以降、表示期間ｂになって液晶表示が行われるまでは、バックライトが点灯されずに黒表示とされ、液晶表示部２において安定表示が開始されてからバックライトが点灯されるようになっていた。
【００３１】
しかしながら、反射型や微反射型、または半透過型と言われる反射型表示モードを有する液晶パネルでは、バックライトを用いなくても、外光のみによって液晶表示を行うことが可能である。したがって、反射型表示モードを有する液晶パネルの場合には、透過型と同様にバックライトによる制御を行っても、バックライトが点灯される前に液晶パネルの表示を目視にて確認することができる。この場合に生じる問題について以下に説明する。
【００３２】
図１７は、図１４の１画素部の基本構成例を示す回路図である。
【００３３】
図１７に示すように、各画素部を構成する画素容量Ｃｘｙにおいて、データライン１１にソース電極が接続されているＴＦＴのドレイン電極側に、画素電極ＶＤとこれに液晶容量Ｃｌｃを介して対向する対向電極ＶＣＯＭとの間の表示電圧によって発生する電荷Ｑ１と、補助容量Ｃｓの一方電極の電圧と他方電極の電圧ＧＶＤＤとによって発生する電荷Ｑ２とが存在する。
【００３４】
ここで、ＴＦＴがＯＦＦ状態である場合、対向電極ＶＣＯＭの電位はＧＮＤレベルであるために電荷Ｑ１は「０」であるが、電荷Ｑ２は電圧ＧＶＤＤによって発生している。このとき、ＴＦＴがＯＦＦ状態であり、補助容量Ｃｓと液晶容量Ｃｌｃとの直列接続が形成されていると見なすことが可能であるため、電荷量Ｑは、液晶容量Ｃｌｃの容量値をＣｌｃ、補助容量Ｃｓの容量値をＣｃｓとすると、
【００３５】
【数１】
2005227629.tif 000003
によって表すことができる。また、その際の液晶印加電圧Ｖは、
【００３６】
【数２】
2005227629.tif 000004
となる。
【００３７】
例えば液晶容量Ｃｌｃと補助容量Ｃｃｓとが同じ値（Ｑ１＝Ｑ２）である場合には、画素部の液晶容量Ｃｌｃには電圧ＧＶＤＤの１／２の電圧が印加されることになる。例えばＴＮ液晶を用いた場合には、画素部の液晶容量Ｃｌｃに電圧を印加することによって黒表示が行われる。このため、電圧ＧＶＤＤの値が大きいほど、補助容量Ｃｃｓが液晶容量Ｃｌｃよりも大きいほど、液晶容量Ｃｌｃに大きな電圧が印加され、液晶表示部２の液晶表示が黒くなる傾向にある。このため、液晶表示部２では何らかの表示が行われることになる。
【００３８】
なお、液晶容量Ｃｌｃと補助容量Ｃｃｓとは、製造プロセスのばらつきや表示面内のばらつきなどによって、一様の値になっている訳ではなく、実際には画素部単位でばらついている。このため、各画素部の液晶容量Ｃｌｃに印加される電圧Ｖは、全て同じ電圧ではなく、結果的に表示面内にて明暗が発生するなど、表示ばらつきが確認されることがある。
【００３９】
また、実際のＴＦＴは、完璧なスイッチング素子ではなく、ＯＦＦ状態であっても電流が流れている。特に、低温プロセスで作製されるポリシリコンを用いたＴＦＴなどでは、その傾向が顕著である。このため、液晶容量Ｃｌｃと補助容量ＣｓからＴＦＴを介してデータライン１１に電流が流れ、電荷が抜けていくという現象が発生する。このため、実際に安定化される電圧レベルは、上記式２に示す値とは若干ずれることになる。
【００４０】
このＴＦＴのＯＦＦ状態の抵抗値についてもばらつきがあるため、電荷の抜け方に差が発生し、画素部の液晶容量Ｃｌｃに印加される電圧Ｖもばらついて、表示面内に輝度ばらつきが発生する。また、ＯＰＥＮ状態であるはずのデータライン１１に対して電荷が供給されていることになるため、そのデータライン１１を介して電荷がやり取りされることによって、データライン１１単位ですじのような表示が見えることがある。さらに、実際の液晶パネル１では、その他に様々な寄生容量や寄生抵抗があるため、これらのばらつきや電流経路によって、様々な表示状態になると考えられる。
【００４１】
電圧ＧＶＤＤをチャージポンプ回路によって作成する場合、負荷条件などによっては、電圧ＧＶＤＤが所定の電圧に達するまでに数垂直期間が必要な場合がある。このとき、各液晶容量Ｃｌｃに所望の電圧が印加されるのは、ＴＦＴがＯＮ状態とされる期間、すなわち、１垂直期間に１回であり、その時間は１水平期間以下の時間である。それ以外の大半の期間はＴＦＴがＯＦＦ状態とされており、そのＯＦＦ期間にも電圧ＧＶＤＤは昇電圧されて増加するため、上記（式２）において電圧ＧＶＤＤが変化し、液晶容量Ｃｌｃに不必要な電圧が印加されることになる。また、電圧ＧＶＤＤが所定の電圧よりも低い場合、ＴＦＴのＯＮ抵抗が高くなり、ＴＦＴをＯＮ状態にしても液晶容量Ｃｌｃに印加された不要な電圧を十分に抜くことができないことがある。このような電圧印加は、時間的には瞬時であるが、すじなどの不必要な表示が行われ、人間の目に見えてしまう。
【００４２】
上記特許文献１には、電圧ＧＶＤＤの開始タイミングに関する記述はなく、特許文献２には、ＤＣ／ＤＣコンバータの動作開始タイミングに関する記述は見られない。また、液晶容量Ｃｌｃに印加された不要な電圧を抜く技術についても記述されていない。
【００４３】
本発明は、上記従来の問題を解決するもので、電源投入時に表示媒体に不要な電圧が印加されることによる表示ムラやスジなどの表示不具合を抑制できるアクティブマトリクス型表示装置およびその駆動方法、これらを表示画面部に用いた電子情報機器を提供することを目的とする。
【課題を解決するための手段】
【００４４】
本発明のアクティブマトリクス型表示装置は、複数の走査配線と複数の信号配線との各交叉部毎に画素部が配設され、該交叉部近傍の走査配線がスイッチング素子の制御端子に接続され、該交叉部近傍の信号配線が該スイッチング素子を介して該画素部に接続された表示部と、該表示部に、電源電圧を所定の電圧に昇電圧して表示駆動用電圧として出力するチャージポンプ回路とを有するアクティブマトリクス型表示装置において、該チャージポンプ回路が昇電圧を開始してから所定の電圧に達するまでの昇電圧期間に、該表示部の通常表示期間に比べて、高い頻度または／および長い期間、該走査配線に走査信号を出力可能とする走査信号出力手段を備え、そのことにより上記目的が達成される。
【００４５】
また、好ましくは、本発明のアクティブマトリクス型表示装置における走査信号出力手段は、前記走査信号により前記走査配線を選択的に駆動する走査ドライバと、該走査ドライバを駆動制御する制御信号を該走査ドライバに出力する制御信号出力手段とを有する。
【００４６】
さらに、好ましくは、本発明のアクティブマトリクス型表示装置における画素部は、前記スイッチング素子に対して画素容量部および補助容量部が並列接続されており、前記昇電圧期間および前記表示部の通常表示期間、該補助容量部のスイッチング素子側とは反対側の電極に、前記チャージポンプ回路で昇電圧された出力電圧が印加されている。
【００４７】
さらに、好ましくは、本発明のアクティブマトリクス型表示装置における昇電圧期間前の前記表示部の初期化期間には、前記補助容量部のスイッチング素子側とは反対側の電極に、前記画素容量部のスイッチング素子側とは反対側の電極に印加される対向電圧と同じレベルの電圧が印加されている。
【００４８】
さらに、好ましくは、本発明のアクティブマトリクス型表示装置におけるチャージポンプ回路で昇電圧された出力電圧は、前記走査ドライバを介して前記スイッチング素子の制御端子に供給可能とされている。
【００４９】
さらに、好ましくは、本発明のアクティブマトリクス型表示装置における制御信号は、前記昇電圧期間の全部または一部において、前記表示部の通常表示期間とは異なる信号波形である。
【００５０】
さらに、好ましくは、本発明のアクティブマトリクス型表示装置における走査ドライバは、前記制御信号出力手段から前記制御信号として入力されるスタートパルスによって動作開始タイミングが規定され、該制御信号出力手段から該制御信号として更に入力されるクロック信号の周期で前記走査配線を選択駆動する走査信号を出力可能とするシフトレジスタ手段を有する。
【００５１】
さらに、好ましくは、本発明のアクティブマトリクス型表示装置におけるスタートパルスは、前記昇電圧期間において、１垂直期間に複数回、前記走査ドライバの動作開始に有効なレベルとされている。
【００５２】
さらに、好ましくは、本発明のアクティブマトリクス型表示装置における複数回のスタートパルスは、前記昇電圧期間の前後の１垂直期間毎において、均一または不均一に前記走査ドライバの動作開始に有効なレベルとされている。
【００５３】
さらに、好ましくは、本発明のアクティブマトリクス型表示装置におけるスタートパルスは、前記昇電圧期間の全部、該昇電圧期間の少なくとも任意の１垂直期間の全部または一部において、前記走査ドライバの動作開始に有効なレベルに保持されている。
【００５４】
さらに、好ましくは、本発明のアクティブマトリクス型表示装置におけるスタートパルスは、前記昇電圧期間の最前の１垂直期間にのみ複数回、前記走査ドライバの動作開始に有効なレベルとされ、また、該昇電圧期間の最前以外の１垂直期間では、前記通常表示期間と同等の頻度および期間で、該走査ドライバの動作開始に有効なレベルとされている。
【００５５】
さらに、好ましくは、本発明のアクティブマトリクス型表示装置における走査ドライバは、前記制御信号出力手段から入力される制御信号に基づいて、任意の走査配線毎に走査信号を順次出力制御するかまたは、全走査配線に走査信号を同時出力制御する。
【００５６】
さらに、好ましくは、本発明のアクティブマトリクス型表示装置における走査ドライバは、前記制御信号出力手段から入力されるスタートパルスによって動作開始タイミングが規定され、該制御信号出力手段から更に入力されるクロック信号の周期で前記走査配線が選択駆動される走査信号を出力するシフトレジスタ手段を有し、該シフトレジスタ手段を構成する複数のフリップフロップのうちの少なくとも一つはプリセット端子を有し、該制御信号出力手段から前記制御信号として該プリセット端子に入力されるプリセット信号によって、非同期に、該プリセット端子が設けられたフリップフロップの出力端子から走査配線が選択駆動される走査信号を出力制御する。
【００５７】
さらに、好ましくは、本発明のアクティブマトリクス型表示装置における走査ドライバは、前記制御信号出力手段から入力されるスタートパルスによって動作開始タイミングが規定され、該制御信号出力手段から入力されるクロック信号の周期で前記走査配線が選択駆動される走査信号を出力するシフトレジスタ手段を有し、該シフトレジスタ手段を構成する複数のフリップフロップのうちの少なくとも一つは前段にセレクタ手段を有し、該制御信号出力手段から前記制御信号として該セレクタに入力されるセレクト信号によって、非同期に、該セレクタが前段に設けられたフリップフロップの出力端子から走査配線が選択駆動される走査信号を出力制御する。
【００５８】
さらに、好ましくは、本発明のアクティブマトリクス型表示装置における信号配線を選択的に順次駆動する信号ドライバを更に有する。
【００５９】
さらに、好ましくは、本発明のアクティブマトリクス型表示装置におけるチャージポンプ回路は外部制御信号に基づいて昇電圧動作を開始する。
【００６０】
さらに、好ましくは、本発明のアクティブマトリクス型表示装置における外部制御信号として、前記信号ドライバへの初期化信号またはクロック信号が用いられる。
【００６１】
さらに、好ましくは、本発明のアクティブマトリクス型表示装置における少なくとも表示部、走査ドライバ、信号ドライバおよびチャージポンプ回路は、低温プロセスで作製されたポリシリコンを用いて同一基板上に形成されている。
【００６２】
さらに、好ましくは、本発明のアクティブマトリクス型表示装置における表示部は、反射型表示モードを有する。
【００６３】
本発明のアクティブマトリクス型表示装置の駆動方法は、複数の走査配線と複数の信号配線との各交叉部毎に画素部が配設され、該交叉部近傍の走査配線がスイッチング素子の制御端子に接続され、該交叉部近傍の信号配線が該スイッチング素子を介して該画素部に接続された表示部と、該表示部に、電源電圧を所定の電圧に昇電圧して表示駆動用電圧として出力するチャージポンプ回路とを有するアクティブマトリクス型表示装置を駆動するアクティブマトリクス型表示装置の駆動方法において、該チャージポンプ回路が昇電圧を開始してから所定の電圧に達するまでの期間に、該表示部の通常表示期間に比べて、高い頻度または／および長い期間、該走査配線に走査信号を出力制御し、そのことにより上記目的が達成される。
【００６４】
本発明の電子情報機器は、請求項１〜１９のいずれかに記載のアクティブマトリクス型表示装置を表示画面部に用いて画面表示可能とし、そのことにより上記目的が達成される。
【００６５】
上記構成により、以下に、本発明の作用について説明する。
【００６６】
本発明にあっては、ＴＦＴなどのスイッチング素子をＯＮ状態にするための電圧（制御電圧または走査電圧）や補助容量に印加される出力電圧ＧＶＤＤを生成するためのチャージポンプ回路を有するアクティブマトリクス型表示装置において、チャージポンプ回路が昇電圧を開始してから所定の電圧に達するまでの期間、ゲートドライバから出力される信号（走査信号）が、表示部の通常表示期間に比べて、高い頻度または長い期間のうち少なくともいずれかの期間で出力されるように制御する。
【００６７】
これにより、ＴＦＴなどのスイッチング素子がＯＮ状態になる頻度または期間が従来よりも増えるため、例えば１垂直期間にスイッチング素子がＯＮ状態になる回数を複数回設けたり、または／および、スイッチング素子がＯＮ状態になる期間を長くすることによって、補助容量Ｃｓを介して液晶容量Ｃｌｃなどの表示媒体に印加される不要な電圧をスイッチング素子を介して抜いて、表示媒体に所望の電圧が印加させることができる。また、表示媒体に所望の電圧が印加されるタイミングが増えるため、表示媒体に不要な電圧が印加される時間を短くすることができる。
【００６８】
また、表示部の初期化期間には、補助容量Ｃｓのスイッチング素子側とは反対側の電極に対向電圧レベルと同じレベルの電圧が印加されるため、液晶容量Ｃｌｃなどの表示媒体には不要な電圧は印加されない。
【００６９】
チャージポンプ回路で昇電圧されて出力された電圧ＧＶＤＤは、スイッチング素子の制御電圧としても用いられるため、この電圧ＧＶＤＤが所定の電圧に達していない場合には、スイッチング素子のＯＮ抵抗が高くなる。この場合でも、スイッチング素子を１垂直期間に複数回ＯＮ状態にすることによって、補助容量Ｃｓを介して液晶容量Ｃｌｃなどの表示媒体に印加される不要な電圧をスイッチング素子を介して充分抜くことができる。
【００７０】
例えば外部信号回路によって表示部の通常表示期間とは異なる波形のスタートパルスを生成し、１垂直期間に複数回、ゲートドライバの動作開始に有効なレベルとされたスタートパルスをゲートドライバに供給することによって、ゲートドライバから出力される信号（走査信号）を、１垂直期間に複数回出力されるように制御することができる。また、外部信号回路によって表示部の通常表示期間とは異なる波形のスタートパルスを生成し、１垂直期間に複数回、ゲートドライバの動作開始に有効なレベル（例えばＨｉｇｈレベル）とすることによって、ゲートドライバから出力される信号（走査信号）が、１垂直期間に複数回出力されるように制御することができる。この複数回のスタートパルスは、電圧ＧＶＤＤの立ち上がり期間内で、不均一にゲートドライバの動作開始に有効なレベルとしてもよい。
【００７１】
また、外部信号回路によって表示部の通常表示期間とは異なる波形のスタートパルスを生成し、チャージポンプ回路が昇電圧を開始してから所定の電圧に達するまでの期間、ゲートドライバの動作開始に有効なレベルに保持されたスタートパルスをゲートドライバに供給することによって、ゲートドライバから出力される信号（走査信号）が、１垂直期間に最大限の回数出力されるように制御することができる。
【００７２】
さらに、ゲートドライバのシフトレジスタを構成するフリップフロップにプリセット端子やセレクタを設けて、プリセット信号やセレクト信号で制御することによって、ゲートドライバから任意の走査配線または全ての走査配線に対して、出力電圧ＧＶＤＤの立ち上がり期間の全期間または一部期間において、その走査配線が選択駆動されるレベル（例えばＨｉｇｈレベル）の信号が供給されるようにすることができる。
【発明の効果】
【００７３】
以上のように、本発明によれば、チャージポンプ回路の昇電圧期間には、表示部の通常表示期間に比べて、高い頻度または／および長い期間、スイッチング素子の制御端子が接続される走査配線に走査信号を出力するようにしたため、表示期間前に補助容量を介して液晶などの表示媒体に不要な電圧が印加されても、スイッチング素子を介して流れ出ることから、表示媒体への不要な電圧が抑制されて、表示部に、従来のような表示ムラやスジなどの表示不具合が生じることを抑制することができる。
【発明を実施するための最良の形態】
【００７４】
以下に、本発明のアクティブマトリクス型表示装置およびその駆動方法の実施形態１〜７として、アクティブマトリクス型液晶表示装置およびその駆動方法に適用した場合について図面を参照しながら詳細に説明する。
（実施形態１）
図１は、本発明のアクティブマトリクス型液晶表示装置の実施形態１における要部構成例を示すブロック図である。なお、図１のアクティブマトリクス型液晶表示装置の基本構成は、図１４の場合と同様であり、同一の作用効果を奏する部材には同一の符号を付してその説明を省略する。
【００７５】
図１に示すように、本実施形態１のアクティブマトリクス型液晶表示装置１０Ａは、画像表示画面を構成する液晶パネル１と、液晶パネル１に各種の制御信号を出力する制御信号出力手段としての外部信号回路６Ａとを有している。
【００７６】
液晶パネル１の中央部には、マトリクス状に配列された各画素部毎にスイッチング素子（ＴＦＴ）および画素電極ＶＤが設けられたアクティブマトリクス基板（ＴＦＴ基板）と、これに対向して配設され、これらの間に表示媒体としての液晶材料を挟持し、対向電極ＶＣＯＭが設けられた対向基板（図示せず）とを有するアクティブマトリクス型液晶表示部２が設けられている。この液晶表示部２の周辺には、信号ドライバとしてのデータドライバ３と、走査ドライバとしてのゲートドライバ４と、チャージポンプ回路５とが設けられている。
【００７７】
本実施形態１のアクティブマトリクス型液晶表示装置１０Ａが従来のアクティブマトリクス型液晶表示装置１０と異なる点は、チャージポンプ回路５が昇電圧を開始してから所定の電圧に達するまでの期間、ゲートドライバ４から出力される信号（走査信号）が、液晶表示部２の通常表示期間に比べて、高い頻度（または／および長い期間）で出力されるように制御される点である。この場合、外部信号回路６Ａによって液晶表示部２の通常表示期間とは異なる波形のスタートパルスＧＳＰが制御信号として生成され、１垂直期間に複数回（通常表示期間では１垂直期間毎に１回であるが、本実施形態１では、これよりも高頻度の複数回）、ゲートドライバ４の動作開始に有効なレベル（例えばＨｉｇｈレベル）とされたスタートパルスＧＳＰがゲートドライバ４に供給されて、ゲートドライバ４から出力される信号（走査信号）が、１垂直期間に複数回出力（上記高い頻度）されるように制御される。
【００７８】
以上のゲートドライバ４と外部信号回路６Ａにより走査信号出力手段が構成され、走査信号出力手段は、チャージポンプ回路５が昇電圧を開始してから所定の電圧に達するまでの昇電圧期間に、液晶表示部２による通常表示期間に比べて、高い頻度または／および長い期間、走査配線としてのゲートライン１２に走査信号を出力可能とする。
【００７９】
この走査信号出力手段（図示せず）は、走査信号によりゲートライン１２を選択的に駆動するゲートドライバ４と、このゲートドライバ４を駆動制御する制御信号をゲートドライバ４に出力する制御信号出力手段としての外部信号回路６Ａとを有している。
【００８０】
上記構成により、本実施形態１のアクティブマトリクス型液晶表示装置１０の動作について説明する。
【００８１】
図２は、本実施形態１のアクティブマトリクス型液晶表示装置において、制御信号として、図１の液晶パネル１に外部信号回路６Ａから入力される各外部制御信号電圧、電源電圧および図１のチャージポンプ回路５の出力電圧の各信号波形をそれぞれ示す図である。図２では、入力電源電圧ＶＤＤ、初期化信号ＩＮＩ、外部制御信号ＳＣＫ、チャージポンプ回路５からの出力電圧ＧＶＤＤ、ゲートドライバ４に入力される外部制御信号であるスタートパルスＧＳＰおよびクロック信号ＧＣＫについて、電源投入時に入力電源電圧ＶＤＤがＧＮＤレベルより所定の電源電圧まで上昇して、実際に液晶表示が開始されるまでの期間の電源投入部分を示している。
【００８２】
図２に示すように、入力電源電圧ＶＤＤがＧＮＤレベルから所定の電源電圧レベルまで上昇する際に、まず、ゲートドライバ４への初期化信号ＩＮＩが立ち上げられる。その所定期間後、初期化信号ＩＮＩが立ち下げられて初期化期間ａが終了した後、チャージポンプ回路５に対して、外部制御信号（データドライバ３のクロック信号）ＳＣＫが入力されることにより、チャージポンプ回路５の駆動（昇電圧動作）が開始され、チャージポンプ回路５からの出力電圧ＧＶＤＤが所定時間後（ここでは２垂直期間後）に安定した所定の電圧レベルに達する。
【００８３】
本実施形態１において、この出力電圧ＧＶＤＤの立ち上がり期間ｃは約２Ｖｓｙｎｃ（約２垂直同期期間）であり、スタートパルスＧＳＰは、出力電圧ＧＶＤＤの立ち上がり期間ｃに３回／１Ｖｓｙｎｃ、それ以降の表示期間ｂでは１回／１Ｖｓｙｎｃ、Ｈｉｇｈレベルとなってゲートドライバ４に入力される。即ち、スタートパルスＧＳＰがゲートドライバ４の動作開始に有効なレベル（Ｈｉｇｈレベル）となる回数は、電圧ＧＶＤＤの立ち上がり期間ｃの方が、表示期間ｂに比べて多く（上記高い頻度）なっている。
【００８４】
これにより、出力電圧ＧＶＤＤの立ち上がり期間ｃにおいて、各ゲートライン１２に接続されるＴＦＴの制御端子は、１Ｖｓｙｎｃ期間に３回ＯＮ状態とされるため、ＴＦＴがＯＮ状態になってから次にＯＮ状態になるまでの周期が従来に比べて１／３になり、ＴＦＴがＯＦＦ状態である期間の電圧ＧＶＤＤの電圧変化量も従来に比べて１／３になる。このように、液晶容量Ｃｌｃに印加された不要な電圧をＴＦＴを介してデータライン１１に抜くための回数が従来に比べて３倍になり、また、液晶容量Ｃｌｃに印加される不要な電圧自体も従来に比べて１／３と小さくなるため、これらの相乗効果によって、従来のような表示ムラやスジなどが表示画面上に現れることはなくなる。
【００８５】
また、初期化期間ａでは、チャージポンプ回路５からの出力電圧ＧＶＤＤはＧＮＤレベルであるため、補助容量Ｃｓを介して液晶容量Ｃｌｃに不要な電圧が印加されることはない。さらに、表示期間ｂでは、データドライバ３やゲートドライバ４が駆動しており、液晶容量ＣｌｃにはＴＦＴを介して所望の電圧が印加される。よって、出力電圧ＧＶＤＤが所定の電圧になっているため、これが補助容量ＣｓのＴＦＴ側とは反対側の電極に印加されても何ら問題は生じない。
【００８６】
このように、本実施形態１によれば、従来のように出力電圧ＧＶＤＤの立ち上がり期間ｃに液晶容量Ｃｌｃに不要な電圧が印加され、そのまま保持されることがないことから、表示ムラやスジなどが表示画面上に現れることはなく、良好な表示状態とすることができる。
【００８７】
なお、本実施形態１では、チャージポンプ回路５からの出力電圧ＧＶＤＤの立ち上がり期間ｃを約２Ｖｓｙｎｃとしているが、この期間は、当然のことながら、チャージポンプ回路５の回路構成によって異なる。
【００８８】
また、本実施形態１では、その期間ｃにスタートパルスＧＳＰがゲートドライバ４の動作開始に有効なレベル（Ｈｉｇｈレベル）となる回数が３回／１Ｖｓｙｎｃとされているが、この回数は４回／１Ｖｓｙｎｃ以上に増やすことも可能であり、また、２回／１Ｖｓｙｎｃに減らすことも可能である。スタートパルスＧＳＰがゲートドライバ４の動作開始に有効なレベル（Ｈｉｇｈレベル）となる回数を増やす場合には、ゲートライン１２が複数本同時にＯＮレベルとされるため、チャージポンプ回路５からの出力電圧ＧＶＤＤに対する負荷が大きくなり、出力電圧ＧＶＤＤの立ち上がり時間ｃが長くなる。この点を考えると、スタートパルスＧＳＰがゲートドライバ４の動作開始に有効なレベル（Ｈｉｇｈレベル）となる回数は少ない方が好ましい。しかしながら、スタートパルスＧＳＰがゲートドライバ４の動作開始に有効なレベル（Ｈｉｇｈレベル）となる回数が少ないほど、液晶容量Ｃｌｃに印加された不要な電圧をＴＦＴを介して抜くための回数が減ることになるため、表示ムラやスジなどが表示画面上に現れる確率が高くなる。本願発明者らが実際に確認した限りでは、スタートパルスＧＳＰがゲートドライバ４の動作開始に有効なレベル（Ｈｉｇｈレベル）となる回数が２回／１Ｖｓｙｎｃであっても表示上に問題は生じなかったが、ばらつきなどを考慮すると、３回／１Ｖｓｙｎｃ程度が好ましいと考えられる。
（実施形態２）
上記実施形態１では、チャージポンプ回路５が昇電圧を開始してから所定の電圧に達するまでの期間ｃにおいて、外部信号回路６Ａから、１垂直期間に複数回、ゲートドライバ４の動作開始に有効なレベル（例えばＨｉｇｈレベル）とされたスタートパルスＧＳＰがゲートドライバ４に供給されて、ゲートドライバ４から出力される信号（走査信号）が、１垂直期間に複数回出力されるように制御したが、本実施形態２では、チャージポンプ回路５が昇電圧を開始してから所定の電圧に達するまでの期間ｃにおいて、制御信号出力手段としての外部信号回路６Ｂから、ゲートドライバ４の動作開始に有効なレベルに保持されたスタートパルスＧＳＰをゲートドライバ４に供給することによって、ゲートドライバ４から出力される信号（走査信号）が、１垂直期間に最大限の回数出力（１垂直期間全て出力）されるように制御する。なお、本実施形態２のアクティブマトリクス型液晶表示装置１０Ｂの基本的な構成は、上記実施形態１の構成と同様であるため、ここではその説明を省略する。
【００８９】
以下に、本実施形態のアクティブマトリクス型液晶表示装置１０Ｂの動作について説明する。
【００９０】
図３は、本実施形態２のアクティブマトリクス型液晶表示装置１０Ｂにおいて、図１の液晶パネル１に外部信号回路６Ｂから入力される各外部制御信号電圧、電源電圧、図１のチャージポンプ回路５の出力電圧の各信号波形をそれぞれ示す図である。図３では、入力電源電圧ＶＤＤ、初期化信号ＩＮＩ、外部制御信号ＳＣＫ、チャージポンプ回路５からの出力電圧ＧＶＤＤ、ゲートドライバ４に入力される外部制御信号であるスタートパルスＧＳＰおよびクロック信号ＧＣＫについて、電源投入時に入力電源電圧ＶＤＤがＧＮＤレベルより所定の電源電圧まで上昇して、実際に液晶表示が開始されるまでの期間の電源投入部分を示している。
【００９１】
図３に示すように、入力電源電圧ＶＤＤがＧＮＤレベルから所定の電源電圧レベルまで上昇する際に、まず、ゲートドライバ４への初期化信号ＩＮＩが立ち上げられる。その所定期間後、初期化信号ＩＮＩが立ち下げられて初期化期間ａが終了した後、チャージポンプ回路５に対して、外部制御信号（データドライバ３のクロック信号）ＳＣＫが入力されることにより、チャージポンプ回路５の駆動（昇電圧動作）が開始され、チャージポンプ回路５からの出力電圧ＧＶＤＤが所定時間後に安定した所定の電圧レベルに達する。
【００９２】
本実施形態２において、この出力電圧ＧＶＤＤの立ち上がり期間ｃは約２Ｖｓｙｎｃ（２垂直同期期間）であり、スタートパルスＧＳＰは、その出力電圧ＧＶＤＤの立ち上がり期間ｃにおいて、スタートパルスＧＳＰがゲートドライバ４の動作開始に有効なレベル（Ｈｉｇｈレベル）とされている。これは、上記実施形態１において、出力電圧ＧＶＤＤの立ち上がり期間ｃに、スタートパルスＧＳＰがゲートドライバ４の動作開始に有効なレベル（Ｈｉｇｈレベル）とされる回数を最大とした場合に相当する。
【００９３】
これにより、上記実施形態１の場合と同様に、出力電圧ＧＶＤＤの立ち上がり期間ｃにおいて、ＴＦＴがＯＮ状態になってから次にＯＮ状態になるまでの周期が従来に比べて短くなり、ＴＦＴがＯＦＦ状態である期間の出力電圧ＧＶＤＤの電圧変化量も従来に比べて小さくなる。
【００９４】
このように、液晶容量Ｃｌｃに印加された不要な電圧をＴＦＴを介してデータライン１１に抜くための期間が従来に比べて多くなり、また、液晶容量Ｃｌｃに印加される不要な電圧自体も従来に比べて小さくなるため、これらの相乗効果によって、従来のような表示ムラやスジなどが表示画面上に現れることはない。
【００９５】
また、初期化期間ａでは、上記実施形態１の場合と同様に、チャージポンプ回路５からの出力電圧ＧＶＤＤはＧＮＤレベルであるため、補助容量Ｃｓを介して液晶容量Ｃｌｃに電圧が印加されることはない。さらに、表示期間ｂでは、データドライバ３やゲートドライバ４が駆動しており、液晶容量ＣｌｃにはＴＦＴを介して所望の電圧が印加されている。これによって、出力電圧ＧＶＤＤが所定の電圧になっているため、これが補助容量ＣｓのＴＦＴ側とは反対側の電極に印加されても何ら問題は生じない。
【００９６】
このように、本実施形態２によれば、従来のように出力電圧ＧＶＤＤの立ち上がり期間ｃに液晶容量Ｃｌｃに不要な電圧が印加され、そのまま保持されることがないことから、従来のような表示ムラやスジなどが表示画面上に現れることはなく、良好な表示状態とすることができる。
【００９７】
なお、本実施形態２では、出力電圧ＧＶＤＤの立ち上がり期間ｃにおいて、スタートパルスＧＳＰをＨｉｇｈレベルとすればよいため、外部信号回路６Ｂにて波形を生成することが容易である。
【００９８】
しかしながら、上記実施形態１で説明したように、スタートパルスＧＳＰがゲートドライバ４の動作開始に有効なレベル（Ｈｉｇｈレベル）の場合、ゲートライン１２が複数本同時にＯＮレベルとされるため、チャージポンプ回路５からの出力電圧ＧＶＤＤに対する負荷が大きくなり、この出力電圧ＧＶＤＤの立ち上がり時間ｃが長くなる。
【００９９】
本実施形態２では、チャージポンプ回路５からの出力電圧ＧＶＤＤの立ち上がり期間ｃを約２Ｖｓｙｎｃとしているが、この期間は、当然のことながら、チャージポンプ回路５の回路構成によって異なる。
【０１００】
本実施形態２では、スタートパルスＧＳＰは、チャージポンプ回路５の昇電圧期間ｃの全部（２Ｖｓｙｎｃ；２垂直期間）において、ゲートドライバ４の動作開始に有効なレベルに保持するようにしたが、これに限らず、チャージポンプ回路５の昇電圧期間ｃのうち少なくとも最前段の１垂直期間の全期間または一部期間（または少なくとも任意の一または複数の１垂直期間の全期間または一部期間）において、ゲートドライバ４の動作開始に有効なレベルに保持するようにしてもよい。
（実施形態３）
上記実施形態１では、チャージポンプ回路５が昇電圧を開始してから所定の電圧に達するまでの期間ｃにおいて、外部信号回路６Ａから、均一な頻度で、ゲートドライバ４の動作開始に有効なレベル（例えばＨｉｇｈレベル）とされたスタートパルスＧＳＰがゲートドライバ４に供給して、ゲートドライバ４から出力される信号（走査信号）が、１垂直期間に複数回出力されるように制御したが、本実施形態３では、チャージポンプ回路５が昇電圧を開始してから所定の電圧に達するまでの期間ｃにおいて、制御信号出力手段としての外部信号回路６Ｃから、ゲートドライバ４の動作開始に有効なレベルとされたスタートパルスＧＳＰがゲートドライバ４に供給される頻度を不均一にしている。なお、本実施形態３のアクティブマトリクス型液晶表示装置１０Ｃの基本的な構成は、上記実施形態１の場合と同様であるため、ここではその説明を省略する。
【０１０１】
以下に、本実施形態３のアクティブマトリクス型液晶表示装置１０Ｃの動作について説明する。
【０１０２】
図４は、本実施形態３のアクティブマトリクス型液晶表示装置１０Ｃにおいて、図１の液晶パネル１に外部信号回路６Ｃから入力される各外部制御信号電圧、電源電圧および図１のチャージポンプ回路５の出力電圧の各信号波形をそれぞれ示す図である。図４では、入力電源電圧ＶＤＤ、初期化信号ＩＮＩ、外部制御信号ＳＣＫ、チャージポンプ回路５からの出力電圧ＧＶＤＤ、ゲートドライバ４に入力されるスタートパルスＧＳＰおよびクロック信号ＧＣＫについて、電源投入時に入力電源電圧ＶＤＤがＧＮＤレベルより所定の電源電圧まで上昇して、実際に液晶表示が開始されるまでの期間の電源投入部分を示している。
【０１０３】
図４に示すように、入力電源電圧ＶＤＤがＧＮＤレベルから所定の電源電圧レベルまで上昇する際に、まず、ゲートドライバ４への初期化信号ＩＮＩが立ち上げられる。その所定期間後、初期化信号ＩＮＩが立ち下げられて初期化期間ａが終了した後、チャージポンプ回路５に対して、外部制御信号（データドライバ３のクロック信号）ＳＣＫが入力されることにより、チャージポンプ回路５の駆動（昇電圧動作）が開始され、チャージポンプ回路５からの出力電圧ＧＶＤＤが所定時間後に安定した所定の電圧レベルに達する。
【０１０４】
本実施形態３において、出力電圧ＧＶＤＤの立ち上がり期間ｃは約２Ｖｓｙｎｃ（約２垂直同期期間）であり、スタートパルスＧＳＰは、出力電圧ＧＶＤＤの立ち上がり期間ｃの前半の１Ｖｓｙｎｃは３回／１Ｖｓｙｎｃであり、後半の１Ｖｓｙｎｃは２回／１Ｖｓｙｎｃであり、それ以降の表示期間ｂには１回／１Ｖｓｙｎｃ、Ｈｉｇｈレベルとなってゲートドライバ４に入力される。
【０１０５】
即ち、スタートパルスＧＳＰがゲートドライバ４の動作開始に有効なレベル（Ｈｉｇｈレベル）となる回数（頻度）は、出力電圧ＧＶＤＤの立ち上がり期間ｃの方が、表示期間ｂに比べて多くなっている。また、出力電圧ＧＶＤＤの立ち上がり期間ｃにおいて、スタートパルスＧＳＰがゲートドライバ４の動作開始に有効なレベル（Ｈｉｇｈレベル）となる頻度が前半の１Ｖｓｙｎｃと後半の１Ｖｓｙｎｃとで不均一になっている（スタートパルスＧＳＰのハイレベル出力回数が異なっている）。
【０１０６】
チャージポンプ回路５からの出力電圧ＧＶＤＤはＴＦＴの制御領域（ゲート端子）にも供給されるため、出力電圧ＧＶＤＤが低い方がＴＦＴのＯＮ抵抗が高くなり、液晶容量Ｃｌｃに印加された不要な電圧がＴＦＴを介してデータライン１１に抜ける程度も少なくなる。また、出力電圧ＧＶＤＤが高い方がＴＦＴのＯＮ抵抗が低くなり、補助容量Ｃｓを介して液晶容量Ｃｌｃに印加される不要な電圧がＴＦＴを介してデータライン１１に抜ける程度も多くなる。
【０１０７】
このため、出力電圧ＧＶＤＤが低い期間と高い期間とで、同じ周期でゲートドライバ４の動作開始に有効なレベル（Ｈｉｇｈレベル）のスタートパルスＧＳＰをゲートドライバ４に入力制御する必要はなく、例えば本実施形態３のように、前半の１Ｖｓｙｎｃの回数／１Ｖｓｙｎｃよりも後半の１Ｖｓｙｎｃは回数／１Ｖｓｙｎｃを少なくするタイミングでスタートパルスＧＳＰのＨｉｇｈレベルが供給されても、表示ムラやスジなどが表示画面上に現れることはない。
【０１０８】
なお、本実施形態３では、チャージポンプ回路５からの出力電圧ＧＶＤＤの立ち上がり期間ｃを約２Ｖｓｙｎｃとしているが、この期間は、上記実施形態１で説明したように、チャージポンプ回路５の回路構成によって異なる。
【０１０９】
また、本実施形態３では、この期間ｃにスタートパルスＧＳＰがゲートドライバ４の動作開始に有効なレベル（Ｈｉｇｈレベル）となる回数が３回／１Ｖｓｙｎｃおよび２回／１Ｖｓｙｎｃと不均一にしているが、この回数は、前後の１垂直期間で増やすことも可能であり、また、順次減らすことも可能である。
（実施形態４）
上記実施形態３では、チャージポンプ回路５が昇電圧を開始してから所定の電圧に達するまでの期間ｃの前半期間と後半期間とにおいて、外部信号回路６Ｃから、前後の１垂直期間毎に複数回、異なる頻度で、ゲートドライバ４の動作開始に有効なレベル（例えばＨｉｇｈレベル）とされたスタートパルスＧＳＰがゲートドライバ４に供給されて、ゲートドライバ４から出力される信号（走査信号）が、１垂直期間に複数回出力（前半の１垂直期間は３回、後半の１垂直期間は２回）されるように制御したが、本実施形態４では、チャージポンプ回路５が昇電圧を開始してから所定の電圧に達するまでの期間ｃの後半において、制御信号出力手段としての外部信号回路６Ｄから、ゲートドライバ４の動作開始に有効なレベルとされたスタートパルスＧＳＰがゲートドライバ４に供給される頻度を表示期間ｂと同じ頻度にしている。なお、本実施形態４のアクティブマトリクス型液晶表示装置１０Ｄの基本的な構成は、上記実施形態１の場合と同様であるため、ここではその説明を省略する。
【０１１０】
以下に、本実施形態４のアクティブマトリクス型液晶表示装置１０Ｄの動作について説明する。
【０１１１】
図５は、本実施形態４のアクティブマトリクス型液晶表示装置１０Ｄにおいて、図１の液晶パネル１に外部信号回路６Ｄから入力される各外部制御信号電圧、電源電圧および図１のチャージポンプ回路５の出力電圧の各信号波形をそれぞれ示す図である。図５では、入力電源電圧ＶＤＤ、初期化信号ＩＮＩ、外部制御信号ＳＣＫ、チャージポンプ回路５からの出力電圧ＧＶＤＤ、ゲートドライバ４に入力されるスタートパルスＧＳＰおよびクロック信号ＧＣＫについて、電源投入時に入力電源電圧ＶＤＤがＧＮＤレベルより所定の電源電圧まで上昇して、実際に液晶表示が開始されるまでの期間の電源投入部分を示している。
【０１１２】
図５に示すように、入力電源電圧ＶＤＤがＧＮＤレベルから所定の電源電圧レベルまで上昇する際に、まず、ゲートドライバ４への初期化信号ＩＮＩが立ち上げられる。その所定期間後、初期化信号ＩＮＩが立ち下げられて初期化期間ａが終了した後、チャージポンプ回路５に対して、外部制御信号（データドライバ３のクロック信号）ＳＣＫが入力されることにより、チャージポンプ回路５の駆動（昇電圧動作）が開始され、チャージポンプ回路５からの出力電圧ＧＶＤＤが所定時間後に安定した所定の電圧レベルに達する。
【０１１３】
本実施形態４において、この出力電圧ＧＶＤＤの立ち上がり期間ｃは約２Ｖｓｙｎｃ（約２垂直同期期間）であり、スタートパルスＧＳＰは、出力電圧ＧＶＤＤの立ち上がり期間ｃの前半の１Ｖｓｙｎｃは上記実施形態３の場合と同様に３回／１Ｖｓｙｎｃであり、その後半の１Ｖｓｙｎｃは表示期間ｂと同じ１回／１Ｖｓｙｎｃとなってゲートドライバ４に入力される。
【０１１４】
即ち、スタートパルスＧＳＰがゲートドライバ４の動作開始に有効なレベル（Ｈｉｇｈレベル）となる回数は、出力電圧ＧＶＤＤの立ち上がり期間ｃの方が、表示期間ｂに比べて多くなっている。また、出力電圧ＧＶＤＤの立ち上がり期間ｃにおいて、スタートパルスＧＳＰがゲートドライバ４の動作開始に有効なレベル（Ｈｉｇｈレベル）となる頻度が不均一になっている。
【０１１５】
上記実施形態３では、出力電圧ＧＶＤＤの立ち上がり期間ｃは、表示期間ｂに比べてスタートパルスＧＳＰがゲートドライバ４の動作開始に有効なレベル（Ｈｉｇｈレベル）となる頻度が多かったが、上記実施形態３でも説明したように、出力電圧ＧＶＤＤが高いとＴＦＴ１のＯＮ抵抗が低くなるため、液晶容量Ｃｌｃに印加された不要な電圧がＴＦＴを介して抜ける程度が高くなる。このため、出力電圧ＧＶＤＤがある所定電圧値よりも高い期間には、表示期間ｂと同じ周期でゲートドライバ４の動作開始に有効なレベル（Ｈｉｇｈレベル）のスタートパルスＧＳＰがゲートドライバ４に供給されても、従来のような表示ムラやスジなどが表示画面上に現れることはない。
【０１１６】
このように、表示期間ｂと同じ周期でゲートドライバ４の動作開始に有効なレベル（Ｈｉｇｈレベル）のスタートパルスＧＳＰがゲートドライバ４に供給されても表示に不具合が生じないような出力電圧ＧＶＤＤの電圧値については、液晶パネル１のＴＦＴ特性に依存しており、ＴＦＴ特性の閾値（Ｖｔｈ）電圧が該当する。しかしながら、実際には製造プロセスにばらつきなどがあるため、若干の余裕を持たせておくことが好ましい。
【０１１７】
なお、本実施形態４では、チャージポンプ回路５からの出力電圧ＧＶＤＤの立ち上がり期間ｃを約２Ｖｓｙｎｃとしているが、この期間は、上記実施形態１でも説明したように、チャージポンプ回路５の回路構成によって異なる。
【０１１８】
また、本実施形態４では、出力電圧ＧＶＤＤの立ち上がり期間ｃであって、スタートパルスがゲートドライバ４の動作開始に有効なレベルとなる期間において、スタートパルスＧＳＰがゲートドライバ４の動作開始に有効なレベル（Ｈｉｇｈレベル）となる回数が３回／１Ｖｓｙｎｃとされているが、この回数は増やすことも可能であり、また、減らすことも可能である。
（実施形態５）
上記実施形態１〜４では、チャージポンプ回路５の昇電圧動作が開始されてから所定の電圧に達するまでの期間ｃに、各外部信号回路６Ａ〜６Ｄによって液晶表示部２の通常表示期間ｂとは異なる波形のスタートパルスＧＳＰを生成して、ゲートドライバ４から出力される信号（走査信号）が１垂直期間に複数回または最大限出力されるように制御したが、本実施形態５では、ゲートドライバ４Ｅのシフトレジスタ（シフトレジスタ手段）を構成するフリップフロップにプリセット端子Ｐを設けて、外部信号回路６Ｅから入力されるプリセット信号ＧＳＰＨでフリップフロップを制御することによって、チャージポンプ回路５からの出力電圧ＧＶＤＤの立ち上がり期間ｃに液晶表示部２の通常表示期間ｂに比べて高い頻度または長い期間で、ゲートドライバ４Ｅから信号（走査信号）が出力されるように制御する。本実施形態５のアクティブマトリクス型液晶表示装置１０Ｅと、例えば上記実施形態１のアクティブマトリクス型液晶表示装置１０Ａとの相違点は、図１４に示すようなシフトレジスタで構成されたゲートドライバ４の代りに、図６に示すようなゲートドライバ４Ｅが設け、ゲートドライバ４Ｅのプリセット端子Ｐに外部信号回路６Ｅからプリセット信号ＧＳＰＨを出力する点であり、それ以外の構成は上記実施形態１〜５の場合と同様であるため、ここではその説明を省略する。
【０１１９】
図６は、本発明のアクティブマトリクス型液晶表示装置１０Ｅの実施形態５における要部構成例を示すブロック図、図７は、図６のゲートドライバ４Ｅの回路構成を示す図である。
【０１２０】
図６および図７に示すように、ゲートドライバ４Ｅでは、外部信号回路６ＥからのスタートパルスＧＳＰと、クロック信号ＧＣＫと、プリセット信号ＧＳＰＨとによって制御される複数のＤフリップフロップ４２によってシフトレジスタ構成となっている。初段のＤフリップフロップ４２のデータ入力端子ＤにはスタートパルスＧＳＰが供給され、それ以外のＤフリップフロップ４２のデータ入力端子Ｄには前段のフリップフロップ４１の出力端子Ｑが接続されている。また、各Ｄフリップフロップ４２のクロック入力端子ＣＫにはクロック信号ＧＣＫが供給されている。さらに、各フリップフロップ４２にはプリセット端子Ｐが設けられており、プリセット端子Ｐにプリセット信号ＧＳＰＨが供給される。
【０１２１】
各Ｄフリップフロップ４２では、クロック信号ＧＣＫの入力タイミングで出力パルスＱ（Ｑ１、Ｑ２、・・・Ｑｎ）が次段へシフトされて出力されることから、この出力パルスＱを用いれば、クロック信号ＧＣＫの周期でＴＦＴをＯＮ（選択）させる走査信号をゲートライン１２に対して順次出力させ、液晶表示部２を線順次に駆動させることが可能である。
【０１２２】
また、各フリップフロップ４２では、プリセット端子ＰにＨｉｇｈレベルのプリセット信号ＧＳＰＨが印加されると、非同期にＨｉｇｈレベルの出力信号が出力端子Ｑから出力される。
【０１２３】
上記構成により、本実施形態５のアクティブマトリクス型液晶表示装置１０Ｅの動作について説明する。
【０１２４】
図８は、本実施形態５のアクティブ型液晶表示装置１０Ｅにおいて、図６の液晶パネル１に外部信号回路６Ｅから入力される各外部制御信号電圧、電源電圧および図１のチャージポンプ回路５の出力電圧の各信号波形をそれぞれ示す図である。図８では、入力電源電圧ＶＤＤ、初期化信号ＩＮＩ、外部制御信号ＳＣＫ、チャージポンプ回路５からの出力電圧ＧＶＤＤ、ゲートドライバ４Ｅに入力される外部制御信号であるスタートパルスＧＳＰ、クロック信号ＧＣＫおよびプリセット信号ＧＳＰＨについて、電源投入時に入力電源電圧ＶＤＤがＧＮＤレベルより所定の電源電圧まで上昇して、実際に液晶表示が開始されるまでの期間の電源投入部分を示している。
【０１２５】
本実施形態５のゲートドライバ４Ｅにおいては、プリセット信号ＧＳＰＨがＨｉｇｈレベルになると、フリップフロップ４２から非同期にＨｉｇｈレベルの信号が出力される。このため、図７に示すように、チャージポンプ回路５からの出力電圧ＧＶＤＤの立ち上がり期間ｃにおいて、Ｈｉｇｈレベルのプリセット信号ＧＳＰＨがゲートドライバ４Ｅのプリセット端子Ｐに入力することによって、スタートパルスＧＳＰやクロック信号ＧＣＫに関わらず、全ゲートライン１２にＴＦＴをＯＮ状態にさせる電圧の信号（走査信号）が出力される（出力電圧ＧＶＤＤが出力される）。このため、出力電圧ＧＶＤＤの立ち上がり期間ｃの全期間においてＴＦＴがＯＮ状態とされ、液晶容量Ｃｌｃに印加された不要な電圧がＴＦＴを介してデータライン１１に常に抜けていくため、従来のような表示ムラやスジなどが表示画面上に現れることはない。
【０１２６】
なお、本実施形態５では、チャージポンプ回路５からの出力電圧ＧＶＤＤの立ち上がり期間ｃを約２Ｖｓｙｎｃ（約２垂直同期期間）としているが、この期間は、上記実施形態１で説明したように、チャージポンプ回路５の回路構成によって異なるものとなる。
【０１２７】
また、本実施形態５において、プリセット信号ＧＳＰＨがＨｉｇｈレベルである期間は、出力電圧ＧＶＤＤの立ち上がり期間ｃと同じ期間でなくてもよい（例えば全期間ではなく、一部期間でもよい）。さらに、プリセット信号ＧＳＰＨは、図７に示すようにＨｉｇｈレベルが連続している必要はなく、例えば図１のスタートパルスＧＳＰのように不連続な波形をプリセット信号ＧＳＰＨとして用いてもよい。
（実施形態６）
上記実施形態５では、ゲートドライバ４Ｅのシフトレジスタを構成する全てのフリップフロップにプリセット端子Ｐを設けて、外部信号回路６Ｅから入力されるプリセット信号ＧＳＰＨでそのフリップフロップを制御することによって、全てのゲートライン１２に対して、出力電圧ＧＶＤＤの立ち上がり期間ｃにおいて液晶表示部２の通常表示期間ｂに比べて高い頻度または／および長い期間で、ゲートドライバ４ＥからＴＦＴをＯＮ状態にする信号（走査信号）が出力されるように制御したが、本実施形態６では、プリセット端子Ｐが設けられたフリップフロップと、プリセット端子Ｐが設けられていないフリップフロップとを組み合せて、任意のゲートライン１２に対して、出力電圧ＧＶＤＤの立ち上がり期間ｃにおいて液晶表示部２の通常表示期間ｂに比べて高い頻度または／および長い期間で、ゲートドライバ４ＦからＴＦＴをＯＮ状態にする信号（走査信号）が出力されるように制御する。それ以外の構成は実施形態５の場合と同様であるため、ここではその説明を省略する。
【０１２８】
図９は、本実施形態６のアクティブマトリクス型液晶表示装置１０Ｆにおけるゲートドライバ４Ｆの回路構成を示す図である。
【０１２９】
図９に示すように、ゲートドライバ４Ｆでは、プリセット端子Ｐが設けられていないフリップフロップ４１と、プリセット端子Ｐが設けられたフリップフロップ４２とが組み合せられてシフトレジスタ構成が為されている。初段のＤフリップフロップ４１のデータ入力端子ＤにはスタートパルスＧＳＰが供給され、それ以外のＤフリップフロップ４１および４２のデータ入力端子Ｄには前段のフリップフロップ４１または４２の出力端子Ｑが接続されている。また、各Ｄフリップフロップ４１および４２のクロック入力端子ＣＫにはクロック信号ＧＣＫが供給されている。さらに、フリップフロップ４２にはプリセット端子Ｐが設けられており、このプリセット端子Ｐにプリセット信号ＧＳＰＨが供給される。
【０１３０】
各Ｄフリップフロップ４１および４２では、クロック信号ＧＣＫの入力タイミングで出力パルスＱ（Ｑ１、Ｑ２、・・・Ｑｎ）が次段へシフトされて出力されることから、この出力パルスＱを用いれば、クロック信号ＧＣＫの周期でＴＦＴをＯＮさせる走査信号をゲートライン１２に対して順次出力させ、線順次に駆動させることが可能である。
【０１３１】
また、フリップフロップ４２では、プリセット端子ＰにＨｉｇｈレベルのプリセット信号ＧＳＰＨが印加されると、非同期にＨｉｇｈレベルの出力信号が出力端子Ｑから出力される。
【０１３２】
上記構成により、本実施形態６のアクティブマトリクス型液晶表示装置１０Ｆの動作について説明する。
【０１３３】
図１０は、本実施形態６のアクティブマトリクス型液晶表示装置１０Ｆにおいて、図６の液晶パネル１に外部信号回路６Ｆから入力される各外部制御信号電圧、電源電圧および図１のチャージポンプ回路５の出力電圧の各信号波形をそれぞれ示す図である。図９では、入力電源電圧ＶＤＤ、初期化信号ＩＮＩ、外部制御信号ＳＣＫ、チャージポンプ回路５からの出力電圧ＧＶＤＤ、ゲートドライバ４Ｆに入力される外部制御信号であるスタートパルスＧＳＰ、クロック信号ＧＣＫおよびプリセット信号ＧＳＰＨについて、電源投入時に入力電源電圧ＶＤＤがＧＮＤレベルより所定の電源電圧まで上昇して、実際に液晶表示が開始されるまでの期間の電源投入部分を示している。
【０１３４】
本実施形態６のゲートドライバ４Ｆでは、プリセット信号ＧＳＰＨがＨｉｇｈレベルになると、フリップフロップ４２から非同期にＨｉｇｈレベルの信号が出力される。このため、図１０に示すように、チャージポンプ回路５からの出力電圧ＧＶＤＤの立ち上がり期間ｃにおいて、Ｈｉｇｈレベルのプリセット信号ＧＳＰＨがゲートドライバ４Ｆのプリセット端子Ｐに入力することによって、スタートパルスＧＳＰやクロック信号ＧＣＫに関わらず、該当するゲートライン１２にＴＦＴをＯＮ状態にさせる電圧の信号（走査信号）が出力されることになる。
【０１３５】
このとき、フリップフロップ４２にはＨｉｇｈレベルのデータが保持されているため、その後、クロック信号ＧＣＫが入力されると、次段のフリップフロップ４１または４２の出力がＨｉｇｈレベルとなり、任意のフリップフロップ４２によってシフト動作を開始させることができるようになる。
【０１３６】
例えば、図９においてプリセット端子Ｐを有するフリップフロップ４２を等間隔に２箇所設けて図１０に示すような外部制御信号を入力することによって、出力電圧ＧＶＤＤの立ち上がり期間ｃにおいて１Ｖｓｙｎｃ中で複数回、ＴＦＴをＯＮ状態にさせることが可能となる。これにより、液晶容量Ｃｘｙに印加された不要な電圧がＴＦＴを介して抜けていくため、表示ムラやスジなどが表示画面上に現れることはない。
【０１３７】
なお、本実施形態６では、チャージポンプ回路５からの出力電圧ＧＶＤＤの立ち上がり期間ｃを約２Ｖｓｙｎｃとしているが、この期間は、上記実施形態１で説明したように、チャージポンプ回路５の回路構成によって異なるものとなる。
【０１３８】
また、本実施形態６において、プリセット信号ＧＳＰＨがＨｉｇｈレベルを取り得る期間は、出力電圧ＧＶＤＤの立ち上がり期間ｃと同じ期間でなくてもよい。さらに、プリセット信号ＧＳＰＨは、図１０に示すような波形に限定する必要はなく、また、連続したＨｉｇｈレベルである必要もなく、さらに、１Ｖｓｙｎｃ中にＨｉｇｈレベルとする回数が異なっていてもよい。
（実施形態７）
上記実施形態５，６では、ゲートドライバ４Ｅ，４Ｆのシフトレジスタ構成とする複数のフリップフロップの少なくとも一つにプリセット端子Ｐを設けて、外部信号回路６Ｅ，６Ｆから入力されるプリセット信号ＧＳＰＨで制御することによって、出力電圧ＧＶＤＤの立ち上がり期間ｃに液晶表示部２の通常表示期間ｂに比べて高い頻度または／および長い期間で、ゲートドライバ４Ｅ，４Ｆから信号（走査信号）が出力されるように制御したが、本実施形態７では、ゲートドライバ４Ｇのシフトレジスタを構成するフリップフロップの前段にセレクタを設けて、外部信号回路６Ｇから入力されるセレクト信号ＳＥＬでセレクタを制御することによって、出力電圧ＧＶＤＤの立ち上がり期間ｃに液晶表示部２の通常表示期間ｂに比べて高い頻度または／および長い期間で、ゲートドライバ４Ｇから信号（走査信号）が出力されるように制御する。それ以外の構成は実施形態５，６の場合と同様であるため、ここではその説明を省略する。
【０１３９】
図１１は、本発明のアクティブマトリクス型液晶表示装置１０Ｇの実施形態７における要部構成例を示すブロック図、図１２は、図１１のゲートドライバ４Ｇの回路構成を示す図である。
【０１４０】
図１１および図１２に示すように、ゲートドライバ４Ｇは、外部信号回路６ＧからのスタートパルスＧＳＰと、クロック信号ＧＣＫとによって制御される複数のＤフリップフロップ４１によってシフトレジスタが構成されており、初段のＤフリップフロップ４１以外の各フリップフロップ４１の前段に、外部信号回路６Ｇからのセレクト信号ＳＥＬによって制御されるセレクタ４３が設けられている。初段のＤフリップフロップ４１のデータ入力端子ＤにはスタートパルスＧＳＰが供給され、それ以外のＤフリップフロップ４１のデータ入力端子Ｄには前段のセレクタ４３の出力端子Ｙが接続されている。また、各Ｄフリップフロップ４１のクロック入力端子ＣＫにはクロック信号ＧＣＫが供給されている。各セレクタ４３の入力端子Ａには前段のフリップフロップ４１の出力端子Ｑが接続されており、その入力端子Ｂにはプリセット信号ＧＳＰＨが供給される。また、各セレクタ４３のセレクタ入力端子ＳＥＬにはセレクタ信号ＳＥＬが供給される。
【０１４１】
各Ｄフリップフロップ４１では、クロック信号ＧＣＫの入力タイミングで出力パルスＱ（Ｑ１、Ｑ２、・・・Ｑｎ）が次段へシフトされて出力されることから、この出力パルスＱを用いれば、クロック信号ＧＣＫの周期でＴＦＴをＯＮさせる走査信号をゲートライン１２に対して順次出力させ、線順次に駆動させることが可能である。
【０１４２】
また、各セレクタ４３では、セレクタ端子ＳＥＬに印加されるセレクト信号ＳＥＬがＬｏｗレベルのときに出力端子Ｙから、入力端子Ａからの入力信号が選択されて出力され、セレクト信号ＳＥＬがＨｉｇｈレベルのときに出力端子Ｙから、入力端子Ｂからの入力信号が選択されて出力されるものとする。
【０１４３】
上記構成により、本実施形態７のアクティブマトリクス型液晶表示装置１０Ｇの動作について説明する。
【０１４４】
図１３は、本実施形態７のアクティブマトリクス型液晶表示装置１０Ｇにおいて、図１の液晶パネル１に外部信号回路６Ｇから入力される各外部制御信号電圧、電源電圧および図１のチャージポンプ回路５の出力電圧の各信号波形をそれぞれ示す図である。図１３では、入力電源電圧ＶＤＤ、初期化信号ＩＮＩ、外部制御信号ＳＣＫ、チャージポンプ回路５からの出力電圧ＧＶＤＤ、ゲートドライバ４Ｇに入力される外部制御信号であるスタートパルスＧＳＰ、クロック信号ＧＣＫ、プリセット信号ＧＳＰＨおよびセレクト信号ＳＥＬについて、電源投入時に入力電源電圧ＶＤＤがＧＮＤレベルより所定の電源電圧まで上昇して、実際に液晶表示が開始されるまでの期間の電源投入部分を示している。
【０１４５】
図１３に示す各信号波形において、入力電源電圧ＶＤＤ、初期化信号ＩＮＩ、外部制御信号ＳＣＫ、チャージポンプ回路５からの出力電圧ＧＶＤＤ、スタートパルスＧＳＰ、クロック信号ＧＣＫおよびプリセット信号ＧＳＰＨは上記図８の場合と同様の信号波形であり、セレクト信号ＳＥＬはプリセット信号ＧＳＰＨと同様の波形である。これにより、本実施形態７のゲートドライバ４Ｇは、上記実施形態５のゲートドライバ４Ｅと同様に動作をさせることが可能である。
【０１４６】
即ち、本実施形態７のゲートドライバ４Ｇにおいて、セレクト信号ＳＥＬがＨｉｇｈレベルになると、出力端子Ｙから、入力端子Ｂから入力されるプリセット信号ＧＳＰＨが選択されて出力される。このとき、プリセット信号ＧＳＰＨもＨｉｇｈレベルであるので、フリップフロップ４１から非同期にＨｉｇｈレベルの信号が出力される。このため、図１３に示すように、チャージポンプ回路５からの出力電圧ＧＶＤＤの立ち上がり期間ｃにおいて、Ｈｉｇｈレベルのプリセット信号ＧＳＰＨおよびセレクト信号ＳＥＬがゲートドライバ４Ｇのセレクタ４３に入力することによって、スタートパルスＧＳＰやクロック信号ＧＣＫに関わらず、全ゲートライン１２にＴＦＴをＯＮ状態にさせる電圧の信号（走査信号）が出力されることになる。このため、出力電圧ＧＶＤＤの立ち上がり期間ｃの全期間においてＴＦＴがＯＮ状態とされ、液晶容量Ｃｌｃに印加された不要な電圧がＴＦＴを介して常に抜けていくため、従来のように表示ムラやスジなどが表示画面上に現れることはない。
【０１４７】
なお、本実施形態７では、チャージポンプ回路５からの出力電圧ＧＶＤＤの立ち上がり期間ｃを約２Ｖｓｙｎｃとしているが、この期間は、実施形態１で説明したように、チャージポンプ回路５の回路構成によって異なるものとなる。
【０１４８】
また、本実施形態７において、プリセット信号ＧＳＰＨやセレクト信号ＳＥＬの各波形を変化させることによって、全ゲートライン１２にＴＦＴをＯＮ状態にさせる電圧の信号（走査信号）が出力されるタイミングを変化させることが可能である。さらに、セレクタ４３が設けられる位置を、全フリップフロップの前段ではなく、一部のフリップフロップ４１の前段に設けることによって、上記実施形態６の場合と同様に、任意のゲートライン１２に任意のタイミングでＴＦＴをＯＮ状態にさせる電圧の信号（走査信号）を出力させることが可能になる。さらに、セレクタ４３の代わりに、ＯＲゲートなどを用いても、同様な動作を実現することは可能であり、その他にも利用可能な回路構成が多数あることは言うまでもない。結果として、１Ｖｓｙｎｃの間に複数回または／および長期間、ＴＦＴをＯＮ状態にさせることが可能な回路構成によって、液晶容量Ｃｌｃに印加した不要な電圧をＴＦＴを介して抜くことが可能であれば、従来のような表示ムラやスジなどが表示画面上に現れて表示不具合が生じることを防ぎ、良好な表示状態を得ることができる。
【０１４９】
以上により、上記実施形態１〜７によれば、通常の電源電圧ＶＤＤを昇電圧してＴＦＴをＯＮ状態にする出力電圧ＧＶＤＤを生成するチャージポンプ回路５を有するアクティブマトリクス型液晶表示装置１０Ａ〜１０Ｇにおいて、出力電圧ＧＶＤＤの立ち上がり期間ｃに、ゲートドライバ４、４Ｅ〜４Ｇからの出力頻度または／および出力時間を通常表示期間ｂに比べて多くすることによって、液晶容量Ｃｌｃに印加される不要な電圧をＴＦＴを介して抜いて、電源投入時に液晶容量Ｃｌｃに不要な電圧が印加されないようにすることができて、従来のような表示ムラやスジなどが表示画面上に現れる表示不具合を抑制することができる。
【０１５０】
なお、上記実施形態１〜７では、スタートパルスＧＳＰやプリセット信号ＧＳＰＨがＨｉｇｈレベルになる回数やタイミングについて説明したが、これらは、Ｈｉｇｈレベルが回路動作として有効なパルスである場合であって、Ｌｏｗレベルが回路動作として有効な回路構成とすることも可能である。したがって、上記実施形態１〜７で説明したように動作させることが可能であれば、入力される信号の極性やタイミングについては上記実施形態１〜７で説明したものに限らない。
【０１５１】
なお、当然のことながら、上記実施形態１〜７において、出力電圧ＧＶＤＤの立ち上がり期間ｃでは出力電圧ＧＶＤＤが正規の電圧レベル（所定の電圧レベル）に達していないため、所望の表示が可能である訳ではない。このため、液晶容量Ｃｌｃに電圧が印加されないようにしたほうが好ましく、データドライバ３からの出力、即ち、データライン１１と対向電圧ＣＯＭとは同電位である方が好ましい。この出力電圧ＧＶＤＤの立ち上がり期間ｃは、電源投入タイミングでもあり、対向電圧ＣＯＭがＧＮＤ（接地レベル）であるならば、データライン１１の電圧もＧＮＤとするほうが好ましい。この際、データライン１１への電圧印加には、データドライバ３からの出力を用いてもよいし、その他に専用の回路を設けてもよい。本発明では、出力電圧ＧＶＤＤの立ち上がり期間ｃにおいて、ゲートライン１２を液晶表示部２の通常表示期間ｂよりも高い頻度または／および長い期間で駆動することが重要なのであって、データライン１２への電圧印加方法は本願発明において重要ではないため、ここではその説明を省略する。
【０１５２】
当然のことながら、ゲートドライバ４，４Ｅ〜４Ｇに供給されるクロック信号ＧＣＫの周波数を高くすると、ゲートドライバ４内のシフトレジスタは速くシフト動作するため、単位時間当たりにゲートライン１２にＨｉｇｈレベルの電圧が印加される回数を、通常よりも多くすることが可能である。これにより、液晶容量Ｃｌｃに印加された不要な電圧をＴＦＴを介して抜く回数を増やすことが可能となるため、従来のような表示ムラやスジなどが表示画面上に現れないようにするという効果を期待することができる。しかしながら、実際には、クロック信号ＧＣＫの周期が短くなることから、ゲートライン１２にＨｉｇｈレベルの電圧が印加される時間が短くなるため、ＴＦＴがＯＮ状態とされている時間も短くなる。このため、ＴＦＴの特性によっては、そのような短いＯＮ時間では液晶容量Ｃｌｃに印加された不要な電圧をＴＦＴを介して抜くことが難しい場合があり、一概に有効であるか否かは断定することができないが、そのような手法を用いることは可能であり、また、上記実施形態１〜７と組み合わせて実施することも可能である。
【０１５３】
また、上記実施形態１〜７において、初期化期間ａに、対向電極ＶＣＯＭの対向電圧と、付加容量部のＴＦＴ側とは反対側の電極電圧ＧＶＤＤとに電位差が発生すると、出力電圧ＧＶＤＤの立ち上がり期間ｃと同様に、従来のような表示ムラやスジなどが表示画面上に現れるという不具合が発生する。これによって、初期化期間ａにおいて、対向電極ＶＣＯＭの電圧と、補助容量部のＴＦＴ側とは反対側の電極電圧ＧＶＤＤとは同電位とすることが好ましい。例えば、対向電極ＶＣＯＭの対向電圧がＧＮＤレベル（接地レベル；０Ｖ）であれば、付加容量部のＴＦＴ側とは反対側の電極電圧ＧＶＤＤもＧＮＤレベル（接地レベル；０Ｖ）とすることが好ましい。
【０１５４】
また、上記実施形態１〜７のように、初期化期間ａの終了後すぐに、チャージポンプ回路５からの出力電圧ＧＶＤＤを立ち上げる必要はなく、初期化期間ａの終了時点からチャージポンプ回路５の昇電圧動作開始までにチャージポンプ回路５が動作しない期間を設けてもよい。しかしながら、このようにチャージポンプ回路５が動作しない期間を長く設けると、液晶表示までに時間がかかることになるため、利便性を考えると、この期間を長くすることに利点はない。
【０１５５】
また、上記実施形態１〜７では、チャージポンプ回路５を動作させる外部制御信号として、データドライバ３のクロック用として入力されている信号ＳＣＫを用いているが、これは一例であり、その他のチャージポンプ回路５以外に用いられている信号を兼用してもよく、また、チャージポンプ回路５の制御用に専用の制御信号を用意することも可能である。
【０１５６】
また、上記実施形態１〜７では、低温プロセスで作製されたポリシリコンを用いて、１枚のガラス基板上に全ての機能を作り込んだ場合を示しているが、例えば、データドライバ３、ゲートドライバ４、４Ｅ〜４Ｇ、およびチャージポンプ回路５は、同一のガラス基板上に作製されたものでなくてもよく、外部ＩＣなどを利用してもよい。
【０１５７】
さらに、液晶表示部２の液晶モードが反射型表示モードを有する場合に対して不具合が発生しやすいと説明してきたが、これに限定されず、反射型表示モードを有していない、透過型表示装置においても、本発明を適用することは可能である。
【０１５８】
以上のように、本発明の好ましい実施形態１〜７を用いて本発明を例示してきたが、本発明は、この実施形態１〜７に限定して解釈されるべきものではない。本発明は、特許請求の範囲によってのみその範囲が解釈されるべきであることが理解される。当業者は、本発明の具体的な好ましい実施形態１〜７の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１５９】
本発明は、各種の表示画面部に用いられるアクティブマトリクス型液晶表示装置などのアクティブマトリクス型表示装置およびその駆動方法、これらを用いた例えば携帯電話装置、液晶テレビジョンおよびパーソナルコンピュータなどの電子情報機器の分野において、電源投入時に液晶などの表示媒体に不必要な電圧が印加されることを防いで、電源投入時の表示不具合を抑制することができる。特に、反射型や微反射型、あるいは半透過型など、外光を利用して表示が行われる反射型表示モードを有する表示装置に有効であり、例えば携帯型電子機器などの電子情報機器の表示装置（表示画面部）として広く利用することができる。
【図面の簡単な説明】
【０１６０】
【図１】本発明のアクティブマトリクス型液晶表示装置の実施形態１〜４における要部構成例を示すブロック図である。
【図２】本実施形態１のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図３】本実施形態２のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図４】本実施形態３のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図５】本実施形態４のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図６】本発明のアクティブマトリクス型液晶表示装置の実施形態５，６における要部構成例を示すブロック図である。
【図７】本実施形態５のアクティブマトリクス型液晶表示装置におけるゲートドライバの内部構成例を示す回路図である。
【図８】本実施形態５のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図９】本実施形態６のアクティブマトリクス型液晶表示装置におけるゲートドライバの内部構成例を示す回路図である。
【図１０】本実施形態６のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図１１】本発明のアクティブマトリクス型液晶表示装置の実施形態７における要部構成例を示すブロック図である。
【図１２】本実施形態７のアクティブマトリクス型液晶表示装置におけるゲートドライバの内部構成例を示す回路図である。
【図１３】本実施形態７のアクティブマトリクス型液晶表示装置において、図１の液晶パネルに外部信号回路から入力される各制御信号電圧、電源電圧および図１のチャージポンプ回路の出力電圧の各信号波形をそれぞれ示す図である。
【図１４】従来のアクティブマトリクス型液晶表示装置の要部構成例を示すブロック図である。
【図１５】図１４の液晶パネルに外部信号回路から入力される各外部制御信号電圧、電源電圧および図１４のチャージポンプ回路の出力電圧の各信号波形をそれぞれ示す図である。
【図１６】図１４の画素部の基本構成を示す回路図である。
【図１７】初期化期間における従来の液晶パネルの動作を説明するための各部の電圧レベルを示す図である。
【符号の説明】
【０１６１】
１  液晶パネル
２  液晶表示部
３  データドライバ
４，４Ｅ〜４Ｇ  ゲートドライバ（シフトレジスタ手段を含む）
５  チャージポンプ回路
６Ａ〜６Ｇ  外部信号回路（制御信号出力手段）
１０Ａ〜１０Ｇ  アクティブマトリクス型液晶表示装置
１１  データライン
１２  ゲートライン
４１  Ｄフリップフロップ
４２  プリセット端子付きＤフリップフロップ
４３  セレクタ
ａ  初期化期間
ｂ  表示期間
ｃ  出力電圧ＧＶＤＤの立ち上がり期間
【図１】
2005227629.tif 000005
【図２】
2005227629.tif 000006
【図３】
2005227629.tif 000007
【図４】
2005227629.tif 000008
【図５】
2005227629.tif 000009
【図６】
2005227629.tif 000010
【図７】
2005227629.tif 000011
【図８】
2005227629.tif 000012
【図９】
2005227629.tif 000013
【図１０】
2005227629.tif 000014
【図１１】
2005227629.tif 000015
【図１２】
2005227629.tif 000016
【図１３】
2005227629.tif 000017
【図１４】
2005227629.tif 000018
【図１５】
2005227629.tif 000019
【図１６】
2005227629.tif 000020
【図１７】
2005227629.tif 000021